(57)【特許請求の範囲】
【請求項１】
第一のコンクリート構造物を構築する先打ち工程と、
該先打ち工程の後に、前記第一のコンクリート構造物に隣接して発泡樹脂板を配置する樹脂配置工程と、
該樹脂配置工程の後に、前記第一のコンクリート構造物との間に前記発泡樹脂板を挟み込むように、第二のコンクリート構造物を構築する後打ち工程とを備え、
前記発泡樹脂板の前記第一のコンクリート構造物に当接する側面に、複数の凸部が設けられ、
前記後打ち工程において、前記発泡樹脂板との間に、第二のコンクリート構造物を設けるための間隔をあけて型枠を配置するとともに、前記間隔を保持するためにセパレーターを用い、前記発泡樹脂板と型枠との間にコンクリートを打設後、前記セパレーターを取り外すエキスパンションジョイント工法であって、
前記先打ち工程において、型枠の間隔を保持する先打ち用セパレーターが用いられるとともに、前記先打ち用セパレーターに、後打ち工程で後打ち用のセパレーターを接続するように、前記先打ち用セパレーターが第一のコンクリート構造物から前記発泡樹脂板側に突出した状態に配置され、
前記発泡樹脂板に、前記先打ち用セパレーターの突出部分が接触しないように切欠部が設けられていることを特徴とするエキスパンションジョイント工法。
【請求項２】
請求項１記載のエキスパンションジョイント工法において、
第二のコンクリート構造物を構築すべき部分に中空管が配置され、前記後打ち用セパレーターが該中空管内に挿入された状態で、かつ、該中空管の前記発泡樹脂板に接触する端部が外側に押し広げられるように屈曲して、発泡樹脂板の面に沿って接触している状態で第二のコンクリート構造物を構築すべき部分にコンクリートが打設されることを特徴とするエキスパンションジョイント工法。
【請求項３】
第一のコンクリート構造物と、第一のコンクリート構造物を構築した後に、第一のコンクリート構造物に近接して構築される第二のコンクリート構造物と、これら第一のコンクリート構造物と第二のコンクリート構造物との間に挟まれた状態に配置される発泡樹脂板とを備え、
前記発泡樹脂板の前記第一のコンクリート構造物に当接する側面に、複数の凸部が形成されているエキスパンションジョイント構造であって、
第一のコンクリート構造物を構築する際に型枠の間隔を保持する第一のセパレーターの一端部が、前記発泡樹脂板側に突出して設けられ、
第二のコンクリート構造物を構築する際に型枠の間隔を保持するとともに、一端部が第一のセパレーターの一端部に接続され、かつ、前記発泡樹脂板と第二のコンクリート構造物を貫通するように配置された第二のセパレーターが撤去され、
前記発泡樹脂板には、前記第一のセパレーターの一端部と前記発泡樹脂板とが接触しないように切欠部が設けられていることを特徴とするエキスパンションジョイント構造。
【請求項４】
請求項３記載のエキスパンションジョイント構造において、
第二のコンクリート構造物を構築すべき部分に配置され、前記第二のセパレーターを挿入する中空管を備え、
該中空管の前記発泡樹脂板に接触する端部は、発泡樹脂板の接触する面に沿って外側に押し広げられるように屈曲していることを特徴とするエキスパンションジョイント構造。
【発明の詳細な説明】
【０００１】
【発明の属する技術分野】
本発明は、第一のコンクリート構造物に隣接して発泡樹脂板を配置し、第二のコンクリート構造物を構築するエキスパンションジョイント工法及びエキスパンションジョイント構造に関する。
【０００２】
【従来の技術】
従来より、構造物の接続法の一つとして、第一の構造物に隣接する位置にエキスパンションジョイント部（以下、ＥＪ部と称する）を形成し、このＥＪ部を介して第二の構造物を施工するという方法が知られている。この施工法は、構造物が相互に力学上有害な影響を及ぼし合わないように、各構造物を物理的に分離しておくという考えに基づくものである。そして、前記ＥＪ部は、温度変化による前記構造体の膨張、収縮などを吸収して、構造物のひび割れ等を防止したり、あるいは振動周期の異なる構造物を接続する場合に、地震等による振動を吸収して、構造物に生じる応力や変形性状を制御したりするべく作用するものである。
【０００３】
特開平７―２８６３７４号公報の従来の技術に開示されているように、従来のＥＪ部の形成に際しては、予め打設により形成された第一のコンクリート構造物（先打ちコンクリート）の接合端面に臨む位置に、発泡スチロール等の緩衝材を介在させ、該緩衝材を挾み込むようにして、前記第一のコンクリート構造物と反対側に堰板（型枠）を配し、該堰板内に後打ちコンクリートを打設して第二のコンクリート構造物を形成するという方法が採用されている。そして、後打ちコンクリートを養生、硬化した後、前記堰板を解体し、目的のＥＪ部を備えた構造物を得る。
【０００４】
【発明が解決しようとする課題】
しかしながら、ＥＪ部に前記緩衝材が内在する状態においては、ＥＪ部の温度差等に起因して、乾燥状態にある先打ちコンクリートと緩衝材との接触面で摩擦が生じ、異常騒音とも言える摩擦音が発生するという問題がある。また、コンクリートを打設する際に、例えば型枠と緩衝材との間に間隔を保持するためにセパレーターが設けられるが、このセパレーターと緩衝材との接触部分でも、ＥＪ部での温度差等に起因して摩擦音が発生する。
【０００５】
そこで本発明は、ＥＪ部での摩擦音を低減できるエキスパンションジョイント工法を提供する。
【０００６】
【課題を解決するための手段】
請求項１記載の発明は、第一のコンクリート構造物（１）を構築する先打ち工程（Ａ）と、該先打ち工程の後に、前記第一のコンクリート構造物に隣接して発泡樹脂板（スタイロフォーム３０）を配置する樹脂配置工程（Ｂ）と、該樹脂配置工程の後に、前記第一のコンクリート構造物との間に前記発泡樹脂板を挟み込むように、第二のコンクリート構造物（２）を構築する後打ち工程（Ｃ）とを備えたエキスパンションジョイント工法であって、前記発泡樹脂板の第一のコンクリート構造物に当接する側面に、複数の凸部（３０ａ）が設けられていることを特徴とする。
このように、前記発泡樹脂板の側面には複数の凸部が設けられ、凸部を有した側面が前記第一のコンクリート構造物に当接するので、発泡樹脂板と第一のコンクリート構造物との接触面積を減らすことができる。前述したように発泡樹脂板が第一のコンクリート構造物に当接した状態においては、ＥＪ部（３）での温度差等に起因して、これらの当接面で摩擦音が発生し異常騒音の原因となっている。従って、これら当接面の接触面積を減らすことによって、異常騒音の原因となっている摩擦音を抑制することができる。
【０００７】
また、請求項１記載の発明は、前記後打ち工程において、前記発泡樹脂板とに隣接する第二のコンクリート構造物を設けるための間隔をあけて型枠（堰板２２）を配置するとともに、前記間隔を保持するためにセパレーター（後打ちセパレーター２１）を用い、前記発泡樹脂板と型枠との間にコンクリートを打設後、前記セパレーターを取り外すことを特徴とする。
このように、前記セパレーターは第二のコンクリート構造物を構築するためのコンクリートを打設した後、取り外されるので、前記セパレーターと前記発泡樹脂板との接触を回避できる。従って、前記セパレーターと前記発泡樹脂板との間で生じる摩擦音をなくすことができ、ＥＪ部での温度差等に起因する異常騒音を低減できる。
【０００８】
なお、前記発泡樹脂板とは発泡スチロールや発泡ポリスチレン等の物質からなり、コンクリートを打設しても型枠として充分に機能する。
【０００９】
そして、請求項１記載の発明は、前記先打ち工程において、型枠の間隔を保持する先打ち用セパレーター（先打ちセパレーター１１）が用いられるとともに、前記先打ち用セパレーターに、後打ち工程で後打ち用のセパレーター（後打ちセパレーター２１）を接続するように、前記先打ち用セパレーターが第一のコンクリート構造物から前記発泡樹脂板側に突出した状態に配置され、前記発泡樹脂板に、前記先打ち用セパレーターの突出部分が接触しないように切欠部（３０ｂ）が設けられていることを特徴とする。
【００１０】
請求項１記載の発明によれば、切欠部が設けられ前記先打ちコンクリート用セパレーターが前記発泡樹脂板に接触しないようになるので、前記先打ちコンクリート用セパレーターと前記発泡樹脂板との間で摩擦音が生じない。すなわち、先打ちコンクリート（１０）打設時の相対する型枠の相互間隔を保持する前記先打ちコンクリート用セパレーターは、先打ちコンクリート打設後、コンクリート中に埋設された状態であって、この先打ちコンクリート用セパレーターの先端部は先打ちコンクリート部に隣接して配置される前記発泡樹脂板に接触するように突出している。従って、発泡樹脂板を配置する際、この先端部が接触しないように発泡樹脂板に切欠部を設ければ、前記先打ちコンクリート用セパレーターと前記発泡樹脂板との間で摩擦音が発生することがない。
【００１１】
請求項２記載の発明は、請求項１記載のエキスパンションジョイント工法において、第二のコンクリート構造物を構築すべき部分に中空管（２３）が配置され、前記後打ち用セパレーターが該中空管内に挿入された状態で、かつ、該中空管の前記発泡樹脂板に接触する端部が外側に押し広げられるように屈曲して、発泡樹脂板の面に沿って接触している状態で第二のコンクリート構造物を構築すべき部分にコンクリートが打設されることを特徴とする。
【００１２】
請求項２記載の発明によれば、前記中空管が配置され前記セパレーターが該中空管内に挿入されるので、後打ちコンクリート（２０）を打設した後に、前記セパレーターを簡単に取り外すことができる。すなわち、前記中空管内に前記セパレーターが挿入された状態で、コンクリートを打設すれば、前記セパレーターと打設したコンクリートが接触しないので、コンクリート硬化後においても容易に取り外すことができる。これに伴って、請求項１記載の発明の効果を助長することができる。
そして、中空管の発泡樹脂板に接触する端部は、発泡樹脂板の接触する面に沿って外側に押し広げられるように屈曲しているので、打設したコンクリートがこの接触部分に入り込まない。
【００１３】
請求項３記載の発明は、第一のコンクリート構造物と、第一のコンクリート構造物を構築した後に、第一のコンクリート構造物に近接して構築される第二のコンクリート構造物と、これら第一のコンクリート構造物と第二のコンクリート構造物との間に挟まれた状態に配置される発泡樹脂板とを備えたエキスパンションジョイント構造であって、前記発泡樹脂板の前記第一のコンクリート構造物に当接する側面に、複数の凸部が形成されていることを特徴とする。
【００１４】
請求項３記載の発明によれば、請求項１と同様の効果が得られる。なお、本発明のエキスパンションジョイント構造を構築する際には、第一コンクリート構造物のコンクリートを打設・硬化後、発泡樹脂板を配置し、次いで、発泡樹脂板を型枠の一部として第二コンクリート構造物となるコンクリートを打設する。この場合に、構築されたエキスパンションジョイント構造において、コンクリートが硬化する前から接触している発泡樹脂板と第二のコンクリート構造物との間より、コンクリートが硬化した後に接触する発泡樹脂板と第一のコンクリート構造物との間での方が摩擦音が生じやすいので、前記凸部により発泡樹脂板と第一のコンクリート構造物との間で接触面積を減らすことにより、摩擦音を効率的に抑制することができる。
【００１５】
そして、請求項３記載の発明は、第一のコンクリート構造物を構築する際に型枠の間隔を保持する第一のセパレーター（先打ちセパレーター１１）の一端部が、前記発泡樹脂板側に突出して設けられ、第二のコンクリート構造物を構築する際に型枠の間隔を保持するとともに、一端部が第一のセパレーターの一端部に接続され、かつ、前記発泡樹脂板と第二のコンクリート構造物を貫通するように配置された第二のセパレーター（後打ちセパレーター２１）が撤去され、前記発泡樹脂板には、前記第一のセパレーターの一端部と前記発泡樹脂板とが接触しないように切欠部が設けられていることを特徴とする。
【００１６】
請求項３記載の発明によれば、発泡樹脂板と第二のコンクリート構造物を貫通するように配置された第二のセパレーターが撤去されるので、この第二のセパレーターと発泡樹脂板との接触は回避され、摩擦音が生じない。また、発泡樹脂板には切欠部が設けられているので、発泡樹脂板側に突出する第一のセパレーターの一端部と発泡樹脂板とで接触しないようになり、第一のセパレーターと発泡樹脂板との摩擦音をなくすことができる。
【００１７】
請求項４記載の発明は、請求項３記載のエキスパンションジョイント構造において、第二のコンクリート構造物を構築すべき部分に配置され、前記第二のセパレーターを挿入する中空管を備え、該中空管の前記発泡樹脂板に接触する端部は、発泡樹脂板の接触する面に沿って外側に押し広げられるように屈曲していることを特徴とする。
【００１８】
請求項４記載の発明によれば、請求項２と同様の効果が得られる。
【００１９】
【発明の実施の形態】
以下、本発明の実施の形態を詳細に説明するが、まず、本発明のエキスパンションジョイント工法を適用すべき部分の構成について説明する。図１に示すように、第一のコンクリート構造物（以下、第一構造物と称する）１を構築する部分に先打ちコンクリート１０が、第二のコンクリート構造物（以下、第二構造物と称する）２を構築する部分に後打ちコンクリート２０が、互いに平行に打設された状態となっている。そして、第一構造物１と第二構造物２との間にエキスパンションジョイント部（以下、ＥＪ部と称する）３が形成されている。
【００２０】
なお、このＥＪ部の幅は、第一構造物１と第二構造物２とが温度変化による膨張・収縮や地震等による振動の際に、相互に影響を及ぼしあわない幅であるとともに、後述するスタイロフォーム３０（発泡樹脂板）が配置されるべき幅となる。
【００２１】
ＥＪ部には、先打ちコンクリート１０と後打ちコンクリート２０の間に挟み込まれるようにスタイロフォーム３０が配置されている。スタイロフォーム３０は図２に示すように、ＥＪ部３に配されるべき厚みを有した板状の発泡ポリスチレンからなるもので、一方の側面には略円形の凸部３０ａが所定の間隔をあけて複数設けられている。このスタイロフォーム３０がＥＪ部３に配設される状態においては、図１に示すように凸部３０ａを有した側面が先打ちコンクリート１０側に向けられ当接する。このように凸部３０ａを先打ちコンクリート１０側に向けて配設することで、先打ちコンクリート１０とスタイロフォーム３０との接触面積は減少する。
【００２２】
また、スタイロフォーム３０の凸部３０ａを有する側面には切欠部３０ｂが設けられ、この切欠部３０ｂに後述するように先打ちセパレーター１１（先打ち用セパレーター、第一のセパレーター）に後打ちセパレーター（セパレーター、第二のセパレーター）２１を繋ぎ固定する取付部３１が配置されている。なお、取付部３１は雌ネジ部（図示しない）を有した部材なので、セパレーターの一端部の雄ネジ部（図示しない）をこの雌ネジ部に螺合させ、前記先打ちセパレーター１１及び後打ちセパレーター２１を固定するようになっている。
【００２３】
先打ちセパレーター１１は、先打ちコンクリート１０打設時に用いた型枠の相互間隔を保持した部材であり、その一端部は先打ちコンクリート１０の外側（ＥＪ部３に隣接する側）に突出するとともに雄ネジ部を有するので、前述した切欠部３０ｂに配置された取付部３１の雌ネジ部に螺合された状態となっている。
【００２４】
一方、後打ちセパレーター２１は後打ちコンクリート２０打設時に用いた型枠（スタイロフォーム３０と堰板２２）の相互間隔を保持した部材である。一端部は雄ネジ部を有するとともに、スタイロフォーム３０の凸部３０ａを有す反対側の側面から入り込んだ状態で取付部３１の雌ネジ部と螺合し固定され、他端部は堰板２２の外側に突出している。
【００２５】
また、後打ちセパレーター２１の後打ちコンクリート２０を貫通する部分は、中空管２３に覆われ、この中空管２３の中空部分の径は後打ちセパレーター２１の径よりやや大きい。中空管２３のスタイロフォーム３０に接触する端部は、スタイロフォーム３０の接触する面に沿って外側に押し広げられるように屈曲しており、打設したコンクリートがこの接触部分に入り込まないようになっている。
【００２６】
次に、本発明のエキスパンションジョイント工法を工程順にしたがって説明する。
［先打ち工程Ａ］
先打ちコンクリート１０を打設するため鉄筋を配筋し、型枠を配置する（図示しない）。また、相対するコンクリート用型枠の相互間隔を保持するため先打ちセパレーター１１も配置されるが、少なくとも前記したＥＪ部に突出する端部は雄ネジ部を有しているので、型枠の外側で、雌ネジ部を有する部材にて螺合することで固定される。他端部は何らかの固定手段によって固定され、先打ちコンクリート用型枠の相互間隔をこの先打ちセパレーター１１にて保持する。
【００２７】
そして、これら鉄筋を配筋してある型枠内に第一構造物１を構築するための先打ちコンクリート１０を打設する。先打ちコンクリート１０を養生・硬化したあと、前記雌ネジ部を有する部材を取り外すとともに型枠を解体する。なお、前記した先打ちセパレーター１１は先打ちコンクリート１０打設後、取り外されないで先打ちコンクリート１０中に埋設された状態にある。
【００２８】
［樹脂配置工程Ｂ］
先打ち工程Ａの後、乾燥状態にある（養生・硬化したあとの）前記先打ちコンクリート１０に隣接する位置（前記したＥＪ部３）にスタイロフォーム３０を配置する。このスタイロフォーム３０は図２に示すように一方の側面に複数の凸部３０ａを有しており、この側面を先打ちコンクリート１０に当接するように配置する。このように配置させれば、先打ちコンクリート１０とスタイロフォーム３０との接触面積を減らすことができる。
【００２９】
また、図１に示すように、先打ちコンクリート１０と当接するスタイロフォーム３０の面には切欠部３０ｂが設けられており、セパレーターを固定するための取付部３１部が配置されるようになっている。取付部３１は前記したように雌ネジ部を有するので、先打ちコンクリート１０のスタイロフォーム３０と当接する面から突出する先打ちセパレーター１１端部の雄ネジ部が螺合された状態となっている。
【００３０】
［後打ち工程Ｃ］
発泡樹脂配置工程Ｂの後、先打ちコンクリート１０と反対側に、後打ちコンクリートを打設するための鉄筋を配筋する（図示しない）。この鉄筋を配筋したのち、後打ちコンクリート用のかぶり厚さに応じた所定の間隔をあけて堰板２２（後打ちコンクリートを支持する型枠）を配置する。また、この場合、スタイロフォーム３０は後打ちコンクリート２０打設用の型枠となるとともに、このスタイロフォーム３０と堰板２２の間には中空管２３が設置される。そして、中空管２３内を中空部分よりやや小さな径を有する後打ちセパレーター２１を挿通させる。なお、後打ちセパレーター２１の中空管２３を挿通した一端部は雄ネジ部を有し、スタイロフォーム３０の凸部３０ａを有す反対側の側面からスタイロフォーム３０に入り込んで取付部３１の雌ネジ部に螺合させ固定される。他端部は堰板２２の外側に突出しており、図示しないボルト等によって固定されている。
【００３１】
また、先打ちセパレーター１１及び後打ちセパレーター２１は平面視したとき、同一直線上に位置し、スタイロフォーム３０の切欠部３０ｂに配置された取付部３１の雌ネジ部とこれらセパレーターの端部に設けられた雄ネジ部とが螺合して固定されている（取付部３１にて、先打ちセパレーター１１に後打ちセパレーター２１を繋ぎ固定されている）。
【００３２】
このように、堰板２２及び後打ちセパレーター２１を配し、スタイロフォーム３０と堰板２２の間（第二構造物２を構築すべき部分）に後打ちコンクリート２０を打設する。後打ちコンクリート２０を養生・硬化したあと、前記堰板２２を解体するとともに後打ちセパレーター２１を廻して（螺合された状態を解除して）取り外す。
【００３３】
以上、本発明のエキスパンションジョイント工法によれば、スタイロフォーム３０の側面には複数の凸部３０ａが設けられ、凸部３０ａを有した側面が第一構造物１に当接するので、スタイロフォーム３０と先打ちコンクリート１０との接触面積を減らすことができる。すなわち、接触面積を減らすことによって、温度差等に起因するＥＪ部３での摩擦音を抑制することができる。
【００３４】
また、後打ちセパレーター２１は中空管２３内に挿入された状態で、後打ちコンクリート２０を打設し、この後打ちコンクリート２０を養生・硬化した後、取り外されるので、後打ちセパレーター２１とスタイロフォーム３０との接触を回避できる。従って、後打ちセパレーター２１とスタイロフォーム３０との間で生じる摩擦音をなくすことができる。
【００３５】
さらに、スタイロフォーム３０に切欠部３０ｂが設けられているので、取付部３１にて先打ちセパレーター１１の端部が固定されスタイロフォーム３０に接触しないようになり、先打ちセパレーター１１とスタイロフォーム３０との間で摩擦音が生じない。
【００３６】
なお、本発明は上記の実施の形態に限定されることなく、本発明の主旨を逸脱しない範囲において、種々の改良並びに設計の変更を行ってもよい。
【００３７】
【発明の効果】
請求項１記載の発明によれば、発泡樹脂板の側面には複数の凸部が設けられ、凸部を有した側面が第一のコンクリート構造物に当接するので、発泡樹脂板と第一のコンクリート構造物との接触面積を減らすことができる。従って、これら当接面の接触面積を減らすことによって、異常騒音の原因となっている摩擦音を抑制することができる。
【００３８】
また、請求項１記載の発明によれば、セパレーターは第二のコンクリート構造物を構築するためのコンクリートを打設した後、取り外されるので、セパレーターと発泡樹脂板との接触を回避できる。従って、セパレーターと発泡樹脂板との間で生じる摩擦音をなくすことができる。
【００３９】
特に、請求項１記載の発明によれば、切欠部が設けられ先打ちコンクリート用セパレーターが発泡樹脂板に接触しないようになるので、前記先打ちコンクリート用セパレーターと前記発泡樹脂板との間で摩擦音が生じない。
【００４０】
請求項２記載の発明によれば、セパレーターが該中空管内に挿入されるので、後打ちコンクリートを打設した後に、セパレーターを簡単に取り外すことができる。
そして、中空管の発泡樹脂板に接触する端部が、発泡樹脂板の接触する面に沿って外側に押し広げられるように屈曲していることにより、打設したコンクリートがこの接触部分に入り込まないといった利点が得られる。
【００４１】
請求項３記載の発明によれば、第二のセパレーターと発泡樹脂板との接触は回避され、摩擦音が生じない。また、第一のセパレーターと発泡樹脂板との摩擦音をなくすことができる。
【００４２】
請求項４記載の発明によれば、請求項２と同様の効果が得られる。
【図面の簡単な説明】
【図１】本実施の形態に係るエキスパンションジョイント部を示す断面図である。
【図２】前記エキスパンションジョイント部に配置されるスタイロフォームを示す斜視図である。
【符号の説明】
Ａ      先打ち工程
Ｂ      樹脂配置工程
Ｃ      後打ち工程
１      第一のコンクリート構造物
２      第二のコンクリート構造物
３      エキスパンションジョイント部
１０    先打ちコンクリート
１１    先打ちセパレーター（先打ち用セパレーター、第一のセパレーター）
２０    後打ちコンクリート
２１    後打ちセパレーター（セパレーター、第二のセパレーター）
２２    堰板（型枠）
２３    中空管
３０    スタイロフォーム（発泡樹脂板）
３０ａ  凸部
３０ｂ  切欠部
【図１】
0004551540.tif 000002
【図２】
0004551540.tif 000003